(57)【要約】【課題】巻き取り式スクリーンのたわみや巻きぐせ、室内の風によるゆがみを補正して、スクリーン全体の平面度を確保することを課題とする。【解決手段】映像機器ラック２９の天面側に配置され前記ラック２９の前方に映像を投射する短焦点の投射型映像表示装置２０と、該投射型映像表示装置２０から投射された映像を投映するスクリーン３４と、該スクリーン３４と前記ラック２９によって閉塞された空間へ給排気するファン４３と、を備えることである。  【選択図】  図５
2009222828.tif 000002
【特許請求の範囲】
【請求項１】
映像機器ラックの天面側に配置され前記ラックの前方に映像を投射する短焦点の投射型映像表示装置と、該投射型映像表示装置から投射された映像を投映するスクリーンと、該スクリーンと前記ラックによって閉塞された空間へ給排気するファンと、を備える映像機器ラック一体型プロジェクタ。
【請求項２】
前記スクリーンは、前記投射型映像表示装置から投射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記収納部内の空気を前記映像機器ラック外へ排出することを特徴とする請求項１記載の映像機器ラック一体型プロジェクタ。
【請求項３】
前記スクリーンは、前記投射型映像表示装置から投射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記映像機器ラック外の空気を前記収納部内へ供給することを特徴とする請求項１記載の映像機器ラック一体型プロジェクタ。
【請求項４】
映像機器ラックの天面側に配置された投射型映像表示装置と、該投射型映像表示装置の投射レンズからの投射光を屈曲反射させて前記ラックの前面へ映像を投射する反射鏡と、該反射鏡から投射された映像を投映するスクリーンと、該スクリーンと前記ラックによって閉塞された空間へ給排気するファンと、を備える映像機器ラック一体型プロジェクタ。
【請求項５】
前記スクリーンは、前記反射鏡から反射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記収納部内の空気を前記映像機器ラック外へ排出することを特徴とする請求項４記載の映像機器ラック一体型プロジェクタ。
【請求項６】
前記スクリーンは、前記反射鏡から反射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記映像機器ラック外の空気を前記収納部内へ供給することを特徴とする請求項４記載の映像機器ラック一体型プロジェクタ。
【発明の詳細な説明】
【技術分野】
【０００１】
本願発明は、光源からの光を入力映像信号に基づき変調して、投射レンズを介して映像を投射するプロジェクタ等の投射型映像表示装置及び、映像機器ラック、収納自在なスクリーンを具備した映像機器ラック一体型プロジェクタにおける、収納自在なスクリーンの凹凸ゆがみの補正に関するものである。
【背景技術】
【０００２】
この種の、スクリーンの凹凸ゆがみを補正する手段に関しては、例えば図１０に示すようなスクリーン収納部２と、該スクリーン収納部２に収納されており、垂下自在な映写スクリーン１と、スクリーン収納部２の両端下部に設置されたスピーカ３Ｌ、３Ｒと、を具備する特許文献１記載の構成が知られている。
【０００３】
図１１は前記図１０のＡ−Ａ断面を上部から見た断面図として示した図である。スピーカ３Ｌ、３Ｒを設置固定するためのバッフルボード５と、バッフルボード５の前面にあるネットグリル６と、を具えている。
【０００４】
そして映写スクリーン１の端部１ａは、バッフルボード５とネットグリル６との間を垂下するために、映写スクリーン１にたわみや巻きぐせなどがある場合に、映写スクリーン１の平面度を保持することができる。
【特許文献１】特開平６−７０３８８号公報
【発明の開示】
【発明が解決しようとする課題】
【０００５】
しかしながら、前記先行技術におけるスクリーンの凹凸ゆがみ補正は、バッフルボードとネットグリルとの間をスクリーン端部が垂下するために、端部の平面度は保たれるが中央部のたわみや巻きぐせは補正することが出来ず、室内の風等によりスクリーンの中央にゆがみを生じさせる時にも、スクリーン全体の平面度を確保することが困難である。
【０００６】
そこで、本願発明の課題は、上記事情に鑑み、巻き取り式スクリーンのたわみや巻きぐせ、室内の風によるゆがみを補正して、スクリーン全体の平面度を確保することである。
【課題を解決するための手段】
【０００７】
上記課題を解決する為の第１の手段は、映像機器ラックの天面側に配置され前記ラックの前方に映像を投射する短焦点の投射型映像表示装置と、該投射型映像表示装置から投射された映像を投映するスクリーンと、該スクリーンと前記ラックによって閉塞された空間へ給排気するファンと、を備えていることによるものである。
【０００８】
第２の手段は、第１の手段において、前記スクリーンは、前記投射型映像表示装置から投射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記収納部内の空気を前記映像機器ラック外へ排出することを特徴とする。
【０００９】
第３の手段は、第1の手段において、前記スクリーンは、前記投射型映像表示装置から投射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記映像機器ラック外の空気を前記収納部内へ供給することを特徴とする。
【００１０】
第４の手段は、映像機器ラックの天面側に配置された投射型映像表示装置と、該投射型映像表示装置の投射レンズからの投射光を屈曲反射させて前記ラックの前面へ映像を投射する反射鏡と、該反射鏡から投射された映像を投映するスクリーンと、該スクリーンと前記ラックによって閉塞された空間へ給排気するファンと、を備えていることによるものである。
【００１１】
第５の手段は、第４の手段において、前記スクリーンは、前記反射鏡から反射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記収納部内の空気を前記映像機器ラック外へ排出することを特徴とする。
【００１２】
第６の手段は、第４の手段において、前記スクリーンは、前記反射鏡から反射された映像が投射可能となる投影位置と収納されて投影不能となる収納位置間で変位可能であり、前記投射型映像表示装置の下方にあり、映像表示面を前方に向けた状態で映像機器を収納可能な収納部を備え、前記ファンは、前記映像機器ラック外の空気を前記収納部内へ供給することを特徴とする。
【発明の効果】
【００１３】
本願発明によれば、収納部内と映像機器ラック外との気圧差を生じさせることによって、スクリーン全体の平面度を確保することが可能な為、投写映像をゆがみなく快適に鑑賞することが可能である。
【発明を実施するための最良の形態】
【００１４】
（第１実施形態）
以下、本願発明の第１実施形態を図１乃至図５を参照して詳細に説明する。
【００１５】
図１は、本願発明に係る短焦点の投射型映像表示装置としての短焦点プロジェクタ２０の側断面図で、図示しない超高圧水銀ランプ等の光源から出射された光を反射鏡、レンズ、偏光板、液晶バルブ等を含む複数の光学部品により映像信号に基づき変調する光変調部２１と、光変調部２１からの映像を拡大投射する投射レンズ２２と、投射レンズ２２の投射方向に配置され、投射レンズ２２から投射された映像の映像光路２３を屈曲させる凹面反射鏡２４と、短焦点プロジェクタ２０の筐体２５と映像光路２３が交差する部分に形成された投射窓２６から構成されている。
【００１６】
また、短焦点プロジェクタ２０を直立させた状態では、短焦点プロジェクタ２０の筐体２５に形成された投射窓２６から投射された映像は、床面２７に投影できるようになっている。
【００１７】
図２は、本願発明に係る第１実施形態の映像機器ラック一体型プロジェクタ２８を第三角法で三面図に図示したものである。尚、以下、図２、図５、図６、図７、図８、図９には同様に夫々の説明に用いている映像機器ラック一体型プロジェクタに係る正面図を符号（ａ）、上面図を符号（ｂ）、側面図を符号（ｃ）として図示している。
【００１８】
短焦点プロジェクタ２０は、ラック２９の上段にある天面空間３０に設置され、留め具３１によってラック２９に対して螺着固定され、且つ投射窓２６から投射される映像がラック２９の前面へ投射可能に水平設置されている。
【００１９】
液晶テレビ設置場所３２は、ラック２９の中段に設けられ、前面側のみ開口された略直方体の空間である。液晶テレビ設置場所３２は前面側と後述のケーブル通し穴３７以外からは外光が射し込まない構造をしている。
【００２０】
引き出し３３は、ラック２９の下段に設けられ、収納物を収納する際に区分可能な様に複数配置されている。
【００２１】
巻き取り式スクリーン３４は、短焦点プロジェクタ２０同様にラック２９の上段にある天面空間３０に収納され、巻き取り式スクリーン３４の主軸４１は、天面空間３０の両側内壁面に回転可能に固定される。また、巻き取り式スクリーン３４は、伸ばしてラック２９の前面へ垂下可能で、完全に垂下させると溝部４２まで到達する。
【００２２】
前記主軸４１は、図示しない渦状にバネ材を巻いて成されるぜんまいバネを具備しており、ユーザーが手動で巻き取り式スクリーン３４の端辺を引き出すことにより、ぜんまいバネが弾性変形し巻き取り式スクリーン３４を引き戻す力が発生する。しかし、巻き取り式スクリーン３４は、完全に映像機器設置空間３２の前面に垂下させると、巻き取り式スクリーン３４の端辺とラック２９に具備されている図示しない留め具機構または磁石等により一時固定され、垂下状態で保持可能となる。また、解除する際には、留め具機構または磁石等の保持力より強い力で巻き取り式スクリーン３４を引き上げることにより解除することが可能となる。
【００２３】
仕切り板３５は、天面空間３０と液晶テレビ設置場所３２の間に設けられた隔壁である。
【００２４】
投射穴３６は、仕切り板３５に設けられ、短焦点プロジェクタ２０の投射窓２６から投射される映像面より十分大きく開いた空間である。
【００２５】
ケーブル通し穴３７は、短焦点プロジェクタ２０または液晶テレビ３８に使用するケーブル等をラック２９の内外に引き回す為、ラック２９の複数の場所に設けられた通し穴である。
【００２６】
識別線３９は、液晶テレビ設置場所３２の両側内壁面に具備されている。識別線３９は、短焦点プロジェクタ２０の投射窓２６から投射される下限の映像光路２３の跡をペイントまたは凹凸によって示しており、ユーザーが液晶テレビ３８を液晶テレビ設置場所３２に設置する時に映像光路２３を遮って設置しないための目印になっている。
【００２７】
ファン４３は、天面空間３０の上方にあり、内部空間と外部空間を隔てる壁に組込み配置され、電力を供給することにより内部の空気を外部へ排出する方向へ回転することが可能である。
【００２８】
次に、ファン４３の制御と短焦点プロジェクタ２０と巻き取り式スクリーン３４との関係を表すため、図３に具備している構成を示すブロック図を記載し、図４に制御方法を示すフローチャートを記載している。
【００２９】
図３のブロック図に関して以下に説明を行う。
【００３０】
まず、ラック２９に配置された、図示しないプロジェクタモード電源スイッチをＯＮされると、ファン４３、スクリーンスイッチ部５４、短焦点プロジェクタ２０、制御部５２へ電源５３より主電力が供給される。
【００３１】
ファン電源検出回路５１は、ファン４３に内蔵されており、制御部５２の命令に基づいて電源５３からファン４３へ前記主電力供給があるか否かの検出を行い、その検出結果を制御部５２へ伝送する。
【００３２】
スクリーンスイッチ部５４は、巻き取り式スクリーン３４の端辺と映像機器ラックの溝部４２に設けられ、巻き取り式スクリーン３４が完全に垂下しているか否かを検出するための機構スイッチや磁気スイッチ等を用いたスイッチである。また、前記主電源の供給があり、スクリーンスイッチ部５４がＯＮされる時のみ制御部５２の命令に基づいてスクリーンＯＮの検出結果を制御部５２へ伝送する。
【００３３】
ＰＪ電源検出回路５５は、短焦点プロジェクタ２０に内蔵されており、前記主電力が供給され、図示しない端焦点プロジェクタ起動スイッチがＯＮされる時のみ、制御部５２の命令に基づいてＰＪ電源ＯＮの検出結果を制御部５２へ伝送する。
【００３４】
制御部５２は、前記主電源が供給されると、ファン電源検出回路５１とスクリーンスイッチ部５４とＰＪ電源検出回路５５へ夫々の検出結果を伝送するように命令を出し、受け取る夫々の検出結果に基づき、ファン駆動回路５６へ駆動の有無を命令する。
【００３５】
ファン駆動回路５６は、ファン回転部５７へ電力を供給することにより、ファン回転部５７を回転させることが可能である。
【００３６】
図４のフローチャートに関して以下に説明を行う。
【００３７】
まず、ファン電源検出回路５１により、ファン４３の主電源がＯＮされていることを検出すると（ステップ１）、スクリーンスイッチ部５４により、巻き取り式スクリーン３４が完全に垂下しているか否かを検知し（ステップ２）、且つＰＪ電源検出回路５５により、短焦点プロジェクタ２０がＯＮされているか否かを検知する（ステップ３）。
【００３８】
スクリーンスイッチ部５４とＰＪ電源検出回路５５とがＯＮであればファン４３を駆動させ（ステップ４）、どちらか一方でもＯＦＦであればファン４３は駆動させない（ステップ５）。
【００３９】
最後にファン４３の主電源がＯＦＦか否かを判定し（ステップ６）、ＯＦＦであれば終了し（ステップ７）、ＯＮであれば（ステップ２）に戻る。
【００４０】
図５は、前記映像機器ラック一体型プロジェクタ２８において天面空間３０に収納された巻取り式スクリーン３４を伸ばして使用した状態を第三角法で三面図に図示したものである。
【００４１】
この状態では、短焦点プロジェクタ２０の投射窓２６から投射された映像が投射穴３６を経て、巻き取り式スクリーン３４に映像４０が投影される。
【００４２】
また、液晶テレビ設置場所３２に設置されている液晶テレビ３８は、巻き取り式スクリーン３４により隠れている為、短焦点プロジェクタ２０の生成する映像を鑑賞する時に適している。
【００４３】
また、巻き取り式スクリーン３４が天面空間３０に収納された図２の状態では、液晶テレビ３８を鑑賞者から見て遮るものは何もなく、液晶テレビ３８の映像を鑑賞する時に適している。
【００４４】
また、液晶テレビ３８を設置する際に液晶テレビ設置場所３２の両側内壁面に設けられた識別線３９によって、ユーザーに映像光路２３の下限側を把握させることが可能で有る為に液晶テレビ３８が映像光路２３を遮ることが無いように設置することが容易となる。
【００４５】
また、ファン４３が回転することにより天面空間３０に存在する空気をラック２９の外へ送ることが可能であり、天面空間３０の空気密度が薄くなり、気圧が下がる。天面空間３０と液晶テレビ設置場所３２は投写穴３６により通じている為、液晶テレビ設置場所３２の気圧も同時に下げることが可能となる。
【００４６】
従って液晶テレビ設置場所３２の前面に伸ばされた巻き取り式スクリーン３４は、液晶テレビ設置場所３２の内部へ引き寄せられる力が生じ、且つ巻き取り式スクリーン３４の上端部、下端部、及び両側端部は映像機器ラックに挟みこまれて設置されている為、巻き取り式スクリーン３４全体の凹凸が無くなる。
【００４７】
この様に、短焦点プロジェクタ２０、ラック２９、収納自在な巻き取り式スクリーン３４、ファン４３を一体とした映像機器ラック一体型プロジェクタ２８とすることによって、ファン４３を回転させることにより、液晶テレビ設置場所３２内とラック２９外の気圧差が生じることによって、スクリーン全体の平面度を確保することが可能な為、投写映像をゆがみなく快適に鑑賞することが可能である。
【００４８】
また、ファン４３を回転させることにより、映像機器ラック内にある空気を映像機器ラック外へ容易に送ることが可能な為、短焦点プロジェクタ２０や液晶テレビ３８から発生する熱をラック２９外へ逃がすことができ、短焦点プロジェクタ２０や液晶テレビ３８の長時間駆動、長寿命化が可能である。
【００４９】
また、短焦点プロジェクタ２０や液晶テレビ３８を同一設置方向に設置できる為、短焦点プロジェクタ２０の投射窓２６から投射される映像と液晶テレビ３８の映像とを鑑賞する方向が同一で夫々の映像鑑賞が容易に出来ると共に、設置場所の省スペース化が図れる。
【００５０】
また、備え付けのケーブル通し穴３７がある為、引き回しのためのケーブル配線が容易となる。
【００５１】
また、短焦点プロジェクタ２０の使用時には、巻き取り式スクリーン３４が垂下され、その裏にある液晶テレビ設置場所３２に光が射し込み難いように囲まれる為、明るい室内でも短焦点プロジェクタ２０の映像鑑賞が容易となる。
【００５２】
ここで、第１実施形態では、液晶テレビ設置場所３２と天面空間３０との間を仕切り板３５により仕切ったが、仕切り板３５をなくし、天面空間３０と液晶テレビ設置場所３２を一つの空間としても良いものとする。
【００５３】
また、液晶テレビ３８は、液晶テレビ設置場所３２へ直立させて設置しているが映像光路２３を遮らない限り、壁掛け設置を行っても良いものとする。
【００５４】
またファン４３を天面空間３０の上方へ設置したが、設置する場所や数量を特に指定するものではなく、結果として液晶テレビ設置場所３２の気圧を下げることが可能であれば設置場所、設置数量を変更しても良いものとする。
【００５５】
また、巻き取り式スクリーン３４は、手動で垂下動作を行ったが巻き取り式スクリーン３４が開閉動作をした際、たるまない様にその端辺重量を増やし、電動モーター等により主軸４１を回転させて自動で使用または収納を行っても良いものとする。
【００５６】
（第２実施形態）
前記第１実施形態では、回転することにより天面空間３０内の空気をラック２９の外へ排出することが可能なファン４３を設置したが、第２実施形態は、前記ファン４３の代わりとして、液晶テレビ設置場所３２の内部に外部の空気を供給するファン１４３を具えた構成である。
【００５７】
図６は、本願発明の第２実施形態における映像機器ラック一体型プロジェクタ１２８について、第３角法で三面図に図示したものである。また第１実施形態と同一部分については同一符号を付して説明を省略する。
【００５８】
ファン１４３は、液晶テレビ設置場所３２の開口された前面側とは相対する面の下方中央に設置されており、ファン４３とは作用が逆で、回転することによりラック２９の外の空気を液晶テレビ設置場所３２内へ供給することが可能であり、液晶テレビ設置場所３２内の空気密度が濃くなり、気圧が上がる。
【００５９】
従って液晶テレビ設置場所３２の前面に伸ばされた巻き取り式スクリーン３４は、液晶テレビ設置場所３２の内部から押し出される力が生じ、且つ巻き取り式スクリーン３４の上端部、下端部、及び両側端部は、ラック２９に挟みこまれて設置されている為、巻き取り式スクリーン３４全体の凹凸が無くなる。
【００６０】
また、液晶テレビ設置場所３２と天面空間３０は投写穴３６により通じている為、液晶テレビ設置場所３２の気圧が上がることにより、同時に天面空間３０の気圧も上がり、天面空間３０に設けてあるケーブル通し穴３７より空気が排出される。
【００６１】
この様に、短焦点プロジェクタ２０、ラック２９、収納自在な巻き取り式スクリーン３４、ファン１４３を一体とした映像機器ラック一体型プロジェクタ１２８とすることによって、第１実施形態と同様な効果を得ることが可能である。
【００６２】
また、天面空間３０の気圧が上がった時に天面空間３０内の空気が排出される部位はケーブル通し穴３７としたが、空気排出用の穴を別途、設けても良いものとする。
【００６３】
（第３実施形態）
第１実施形態では、巻き取り式スクリーン３４に投射するプロジェクタとして短焦点プロジェクタ２０を使用したが第３実施形態では、短焦点プロジェクタ２０の代わりとして該短焦点プロジェクタ２０より長焦点なプロジェクタである既存のプロジェクタ１２０と凹面反射鏡１２４とを使用している。
【００６４】
以下、本願発明の第３実施形態を図７および図８を参照して詳細に説明する。
【００６５】
図７は、後述する第３実施形態における映像機器ラック一体型プロジェクタ２２８において、第三角法で三面図に図示したものである。また第１実施形態と同一部分については同一符号を付して説明を省略する。
【００６６】
プロジェクタ１２０は、ラック２９の液晶テレビ設置場所３２の天面空間３０に留め具３１によってラック２９に対して水平に螺着固定されている。
【００６７】
凹面反射鏡１２４は、天面空間３０の内壁面から突出した図示しない固定部に凹面反射鏡１２４の図示しないフランジ部を固定され、プロジェクタ１２０の投射レンズ１２２から投射された映像を屈曲反射させる為に投射レンズ１２２の投射方向に設置されている。
【００６８】
そして、プロジェクタ１２０と凹面反射鏡１２４とを組み合わせた時に投射レンズ１２２からの映像がラック２９の前面へ投射可能になっており、それらを組み合わせた焦点距離は、前記短焦点プロジェクタ２０とほぼ同等となるように凹面反射鏡１２４の曲率半径や投射レンズ１２２からの設置距離が設定されている。
【００６９】
図８は、映像機器ラック一体型プロジェクタ２２８において図５と同様に天面空間３０に収納された巻取り式スクリーン３４を伸ばして使用した状態を第三角法で三面図に図示したものであり、プロジェクタ１２０の投射レンズ１２２から投射された映像を凹面反射鏡１２４により屈曲させ、巻き取り式スクリーン３４へ映像４０を投影させている。
【００７０】
この様に、プロジェクタ１２０、凹面反射鏡１２４、ラック２９、収納自在な巻き取り式スクリーン３４、ファン４３を一体とした映像機器ラック一体型プロジェクタ２２８とすることによって、第１実施形態と同様な効果を得ることができる。また、既存のプロジェクタ１２０を使用することが可能であると共に、凹面反射鏡１２４を短焦点プロジェクタ２０の筐体２５のように覆う必要がないため、筐体２５の材料コストも削減をすることができる。
【００７１】
（第４実施形態）
前記第３実施形態では、回転することにより天面空間３０内の空気をラック２９の外へ排出することが可能なファン４３を設置したが、第４実施形態では、第２実施形態と同様に、前記ファン４３の代わりとして、液晶テレビ設置場所３２内に外気を供給するファン１４３を具えた構成である。尚、ファン１４３の詳細説明は図５と同様であるため省略する。
【００７２】
図９は、本願発明の第４実施形態における映像機器ラック一体型プロジェクタ３２８について、第３角法で三面図に図示したものである。また第２実施形態と同一部分については同一符号を付して説明を省略する。
この様に、短焦点プロジェクタ２０、ラック２９、収納自在な巻き取り式スクリーン３４、ファン１４３を一体とした映像機器ラック一体型プロジェクタ３２８とすることによって、第２実施形態と同様な効果を得ることができる。また、既存のプロジェクタ１２０を使用することが可能であると共に、凹面反射鏡１２４を短焦点プロジェクタ２０の筐体２５のように覆う必要がないため、筐体２５の材料コストも削減をすることができる。
【図面の簡単な説明】
【００７３】
【図１】第１実施形態の短焦点プロジェクタの断面図
【図２】第１実施形態の短焦点プロジェクタを使用した映像機器ラック一体型プロジェクタ（液晶テレビ映鑑賞時）
【図３】ファンと巻き取り式スクリーンとプロジェクタの関係を示すブロック図
【図４】ファンと巻き取り式スクリーンとプロジェクタの関係を示す制御フローチャート
【図５】第１実施形態の短焦点プロジェクタを使用した映像機器ラック一体型プロジェクタ（プロジェクタ映像鑑賞時）
【図６】第２実施形態の短焦点プロジェクタを使用した映像機器ラック一体型プロジェクタ（プロジェクタ映像鑑賞時）
【図７】第３実施形態のプロジェクタと凹面反射鏡を使用した映像機器ラック一体型プロジェクタ（液晶テレビ映像鑑賞時）
【図８】第３実施形態のプロジェクタと凹面反射鏡を使用した映像機器ラック一体型プロジェクタ（プロジェクタ映像鑑賞時）
【図９】第４実施形態のプロジェクタと凹面反射鏡を使用した映像機器ラック一体型プロジェクタ（プロジェクタ映像鑑賞時）
【図１０】映写スクリーンのゆがみを補正する装置の先行技術実施例
【図１１】図１０におけるＡ−Ａ断面
【符号の説明】
【００７４】
２０  短焦点のプロジェクタ（短焦点の投射型映像表示装置）
２８  映像機器ラック一体型プロジェクタ
２９  ラック（映像機器ラック）
３２  液晶テレビ設置場所（収納部）
３４  巻き取り式スクリーン（スクリーン）
1205298482173_0.jpg','11991225961','0')
３８  液晶テレビ（映像機器）
４３  ファン
【図１】
2009222828.tif 000003
【図２】
2009222828.tif 000004
【図３】
2009222828.tif 000005
【図４】
2009222828.tif 000006
【図５】
2009222828.tif 000007
【図６】
2009222828.tif 000008
【図７】
2009222828.tif 000009
【図８】
2009222828.tif 000010
【図９】
2009222828.tif 000011
【図１０】
2009222828.tif 000012
【図１１】
2009222828.tif 000013